(57)【特許請求の範囲】
【請求項１】
証券に関する必要情報とともに、多数の微小記号および／または微小文字にて構成される微小記号文字から成る記号文字列が、複数配置される微小記号文字群として印刷された証券印刷物であって、所定の記号文字列が、規則的に繰返し配列されてなり、前記記号文字列を構成する少なくとも一つの微小文字或いは微小記号の配置角度が、規則的に配列されてなる記号文字列に対し異なる形態とされているものを含むことを特徴とする多数の微小記号文字から成る微小記号文字群が印刷された証券印刷物。
【請求項２】
証券に関する必要情報とともに、多数の微小記号および／または微小文字にて構成される微小記号文字から成る記号文字列が、複数配置される微小記号文字群として印刷された証券印刷物であって、所定の記号文字列が、規則的に繰返して配列されてなり、前記記号文字列を構成する少なくとも一つの微小文字或いは微小記号が、規則的に配列されてなる記号文字列に対し鏡像状態に配置されているものを含むことを特徴とする多数の微小記号文字から成る微小記号文字群が印刷された証券印刷物。
【請求項３】
前記異なる配置角度または鏡像状態で配置された微小文字或いは微小記号の印刷用インキが、他の微小文字或いは微小記号の印刷用インキとは異なる機能性インキにて印刷されている請求項１〜２のいずれかに記載の多数の微小記号文字から成る微小記号文字群が印刷された証券印刷物。
【請求項４】
前記機能性インキは、特定の波長領域の光を照射すると発光するインキである請求項３に記載の多数の微小記号文字から成る微小記号文字群が印刷された証券印刷物。
【請求項５】
前記機能性インキが赤外線反射インキ、赤外線透過インキ又は赤外線吸収インキである請求項３に記載の多数の微小記号文字から成る微小記号文字群が印刷された証券印刷物。
【請求項６】
前記特定の波長領域の光を照射すると特定の情報が画成されるように、前記特定の波長領域の光を照射すると発光するインキで印刷された微小文字或いは微小記号を配置して成る請求項３に記載の多数の微小記号文字から成る微小記号文字群が印刷された証券印刷物。
【請求項７】
前記微小記号文字群を構成する多数の微小記号文字は、連続的且つ曲線的に配置することで彩紋模様を構成するように印刷されて成る請求項１〜６のいずれかに記載の多数の微小記号文字から成る微小記号文字群が印刷された証券印刷物。
【発明の詳細な説明】
【０００１】
【発明の属する技術分野】
本発明は、銀行券、株券、債権類、旅券、各種証明書等の重要書類（以下、「証券印刷物」という。）に関し、特には、偽造や改ざん等をし難くするために微小文字を利用した証券印刷物に関する。
【０００２】
【従来の技術】
近年、コンピュータのハードウエアの急速な進歩とともに該コンピュータ上にて動作する画像処理プログラムの進歩等によるコンピュータ画像処理技術の急速な進歩と普及に伴い、証券印刷物の分野においても、これらコンピュータ画像処理技術を用いた偽造や改ざん等が実施され、その偽造や改ざん手法も高度化、多様化しつつある。
【０００３】
【発明が解決しようとする課題】
これらコンピュータ画像処理技術を用いた偽造や改ざん手法としては、従来においては、コピー機等による模造や複製が実施されることが主になされてきているが、これらコピー機等による模造や複製を防止する技術が普及してきており、これらコピー機等による模造や複製が安易に実施できなくなってきているとともに、前記したようにコンピュータ画像処理技術が向上したことから、近年では、目視等により版自体を作成して模造することがなされるようになってきていることから、これら版自体を作成して模造することに対する複製防止或いは偽造防止に優れた証券印刷物が切望されていた。
【０００４】
よって、本発明は上記した問題点に着目してなされたもので、版自体を作成して模造することに対する複製防止或いは偽造防止に優れた証券印刷物を提供することを目的としている。
【０００５】
【課題を解決するための手段】
前記した問題を解決するために、本発明の多数の微小記号文字から成る微小記号文字群が印刷された証券印刷物は、証券に関する必要情報とともに、多数の微小記号および／または微小文字にて構成される微小記号文字から成る微小記号文字群が印刷された証券印刷物であって、
上記微小記号文字群を構成する所定の微小記号および／または微小文字から成る文字記号列が、その配列および／または配列形態が異なるものを含むことを特徴としている。
この特徴によれば、上記微小記号文字群を構成する所定の微小記号および／または微小文字から成る文字記号列が、その配列および／または配列形態が異なるものを含むようになるため、各微小記号文字をこれら異なる配列および／または配列形態に合致させて版を作成する必要が生じることから、これら版の作成を著しく困難なものにでき、よって版自体を作成して模造することに対する複製防止或いは偽造防止に優れた証券印刷物を得ることができる。
【０００６】
本発明の多数の微小記号文字から成る微小記号文字群が印刷された証券印刷物は、前記異なる配列形態が、前記文字記号列を構成する微小文字或いは微小記号の配置角度が異なる形態とされていることが好ましい。
このようにすれば、これら微小文字或いは微小記号の配置角度を各文字や記号毎に把握して版を作成する必要が生じることから、これら版の作成をより一層困難なものにでき、よって版自体を作成して模造することに対する複製防止或いは偽造防止に優れた証券印刷物を得ることができる。
【０００７】
本発明の多数の微小記号文字から成る微小記号文字群が印刷された証券印刷物は、前記異なる配列形態が、前記文字記号列を構成する微小文字或いは微小記号が鏡像状態に配置されていることが好ましい。
このようにすれば、前記微小文字或いは微小記号を鏡像状態に配置することで、丹念に微小文字或いは微小記号を詳見しない一見状態では、前記異なる配列形態を見過ごし易く、よって、これら版の作成をより一層困難なものにでき、よって版自体を作成して模造することに対する複製防止或いは偽造防止に優れた証券印刷物を得ることができる。
【０００８】
本発明の多数の微小記号文字から成る微小記号文字群が印刷された証券印刷物は、前記異なる配列形態が、前記文字記号列を構成する微小文字或いは微小記号の配置間隔が異なる形態とされていることが好ましい。
このようにすれば、これら微小文字或いは微小記号の配置間隔を各文字や記号毎に把握して版を作成する必要が生じることから、これら版の作成をより一層困難なものにでき、よって版自体を作成して模造することに対する複製防止或いは偽造防止に優れた証券印刷物を得ることができる。
【０００９】
本発明の多数の微小記号文字から成る微小記号文字群が印刷された証券印刷物は、前記異なる配列形態が、前記文字記号列を構成する微小文字或いは微小記号中に、正規の配置記号文字とは異なるエラー文字或いはエラー記号が配置されていることが好ましい。
このようにすれば、これらエラー文字或いはエラー記号がどこに配置されているのか、或いはどの微小文字或いは微小記号がエラー文字或いはエラー記号として使用されているのかを把握して版を作成する必要が生じることから、これら版の作成をより一層困難なものにでき、よって版自体を作成して模造することに対する複製防止或いは偽造防止に優れた証券印刷物を得ることができる。
【００１０】
本発明の多数の微小記号文字から成る微小記号文字群が印刷された証券印刷物は、前記文字記号列を構成する同一の微小文字或いは微小記号の書体として、少なくとも２以上の異なる種類の書体を含むことが好ましい。
このようにすれば、文字記号列を構成する同一の微小記号または微小文字の書体として、少なくとも２以上の異なる種類の書体が使用されることで、これら書体を各微小記号文字毎に合致させて版を作成する必要が生じることから、これら版の作成をより一層困難なものにでき、よって版自体を作成して模造することに対する複製防止或いは偽造防止に優れた証券印刷物を得ることができる。
【００１１】
本発明の多数の微小記号文字から成る微小記号文字群が印刷された証券印刷物は、前記２以上の異なる種類の書体は、一般的に使用されている公知の書体と、一般的に使用されていない独自の書体とを含むことが好ましい。
このようにすれば、独自の書体を用いることで、より一層、版自体の作成を困難なものにできる。
【００１２】
本発明の多数の微小記号文字から成る微小記号文字群が印刷された証券印刷物は、前記独自書体が１種類のみであることが好ましい。
このようにすれば、多数の独自書体を用いずに、公知の書体中に独自書体を１種類のみとすることで、独自書体が使用されていることに気付かれ難くなり、これら独自書体を確認することで、複製や偽造を判別し易いものにできる。
【００１３】
本発明の多数の微小記号文字から成る微小記号文字群が印刷された証券印刷物は、前記異なる配列形態に該当する文字或いは記号の印刷用インキが、他の文字或いは記号の印刷用インキとは異なる機能性インキにて印刷されていることが好ましい。
このようにすれば、機能性インキによる機能を用いることで、前記異なる配列形態に該当する文字或いは記号を迅速かつ正確に認識することができる。
【００１４】
本発明の多数の微小記号文字から成る微小記号文字群が印刷された証券印刷物は、前記機能性インキは、特定の波長領域の光を照射すると発光するインキであることが好ましい。
このようにすれば、特定の波長領域の光を照射するのみで、異なる配列形態に該当する文字或いは記号を認識することができる。
【００１５】
本発明の多数の微小記号文字から成る微小記号文字群が印刷された証券印刷物は、前記機能性インキが赤外線インキであることが好ましい。
このようにすれば、通常の使用において、赤外線が照射される機会は非常に希であるため、通常使用において異なる配列形態に該当する文字或いは記号が印刷されていることを偽造者等に知覚されることを極力防止することができる。
【００１６】
本発明の多数の微小記号文字から成る微小記号文字群が印刷された証券印刷物は、前記特定の波長領域の光を照射すると特定の情報が画成されるように、前記特定の波長領域の光を照射すると発光するインキで印刷された文字或いは記号を配置して成ることが好ましい。
このようにすれば、特定の情報が画成され現れることで、より確実かつ簡易に複製や偽造を判別することができる。
【００１７】
本発明の多数の微小記号文字から成る微小記号文字群が印刷された証券印刷物は、前記微小記号文字は、目視による可読が難しいか或いは不可である大きさであることが好ましい。
このようにすれば、微小記号文字が印刷されていることを、偽造者等に認知されることを極力防止することができ、偽造防止効果を向上できる。
【００１８】
本発明の多数の微小記号文字から成る微小記号文字群が印刷された証券印刷物は、前記微小記号文字群を構成する多数の微小記号文字は、連続的且つ曲線的に配置することで彩紋模様を構成するように印刷されて成ることが好ましい。
このようにすれば、単純に微小記号文字が配列されているのに比較して、その版の作成をより困難なものにでき、偽造防止効果を向上できる。
【００１９】
【発明の実施の形態】
本発明に係る証券印刷物の実施形態を、実施例に基づいて図面を参照して以下に説明する。尚、以下の実施例においては、証券印刷物の一例として商品券とした例を示すが、本発明はその他の証券印刷物に適用可能であることは言うまでもない。
【００２０】
（実施例１）
図１は、本発明の証券印刷物の実施例１である商品券を示す図である。本実施例１の商品券は、図１に示すように、その表面に証券に関する必要情報を目視可能に表示する基本文字１、５や、デザイン文字２、微小文字３、ＯＣＲ文字４、ＭＩＣＲ文字６、無色蛍光文字７などの文字が印刷されている。また、デザイン文字２、微小文字３、基本文字５は、多数の文字が集合して成る文字群で構成される。
【００２１】
微小文字３から成る文字群３’は、所定数の前記文字記号列としての「ＪＡＰＡＮ」という繰返し単位の文字列が規則的に配置されて成り、６５列×８行、計５２０の微小文字３を含んでいる。
【００２２】
また、これら微小文字３の文字の大きさとしては、肉眼では文字として可読しにくい程度の大きさでも、または、文字を極めて小さくして可読できない大きさにしても良い。具体的には、可読できない大きさとしては０.４ｍｍ以下の文字であればほぼ不可読となり、１ｍｍ以上であればほぼ全ての人が可読可能となることから、該１ｍｍ未満で前記０.４ｍｍよりも大きな文字が肉眼では文字として可読しにくい程度の大きさと言える。
【００２３】
このように、微小文字の大きさを肉眼では文字として可読しにくい程度の大きさ、或いは可読できない大きさとすることは、微小記号文字が印刷されていることを、偽造者等に認知されることを極力防止することができ、偽造防止効果を向上できることから好ましいが、本発明はこれに限定されるものではなく、これら微小文字の大きさは、適宜に選択すれば良い。
【００２４】
また、本実施例では、これら微小文字群３’を、図１に示すように、縦横方向に前記「ＪＡＰＡＮ」を構成する各文字を配列させた形状としてしているが、本発明はこれに限定されるものではなく、これら微小文字を連続的かつ曲線的に配置することにより、より複雑な彩紋模様として認識できるような構成にしても良い。
【００２５】
この微小文字群３’の領域８を矢印に示すように拡大して観察すると、図１に示すように、前記「ＪＡＰＡＮ」の文字の配列状態が、各行にて順次異なるように配列されており、これら微小文字群３’の領域８には、一般書体３Ａにて印刷され、前記「ＪＡＰＡＮ」の文字の配列状態のみが異なるエリア８Ａと、前記「ＪＡＰＡＮ」の配列状態並びに印刷書体が前記エリア８Ａと同一であるが、前記「ＪＡＰＡＮ」を構成する各微小文字中に、異なる配列形態となる配置角度が異なる微小文字を有するエリア８Ｂと、該エリア８Ｂと同様の配列状態並びに配列形態を有するが、その書体が一般的に使用されない独自書体３Ｂとされたエリア８Ｃとから構成されている。
【００２６】
まず、前記エリア８Ａについて説明すると、該エリア８Ａに印刷配置される前記「ＪＡＰＡＮ」の文字は、図１に示すように、文字列の先頭となる「Ｊ」の文字位置が各行毎に順次後方（紙面右側）へ移動して配置することで、各行にて「ＪＡＰＡＮ」の文字の配列状態が異なるようになっている。
【００２７】
このように、本実施例では、配列状態を前記したように、各行毎に配列文字列の先頭位置を順次変えることで実施しているが、本発明はこれに限定されるものではなく、これら異なる配列状態は、前記「ＪＡＰＡＮ」の文字列をランダムに配置しても良く、これら異なる配列状態とする手法は適宜に選択すれば良い。
【００２８】
次いで、前記エリア８Ｂについて説明すると、該エリア８Ｂの印刷書体並びに印刷されている「ＪＡＰＡＮ」の文字列の配列状態は前記エリア８Ａと同一であるが、図１に示すように、部分部分に印刷配置された角度が前記エリア８Ａの対応する文字とは異なる微小文字３Ａ’を含んでおり、これら印刷角度の異なる微小文字３Ａ’により、異なる配列形態が形成されている。
【００２９】
このように、異なる配列形態を印刷配置される微小文字の配置角度にて形成するようにすることは、偽造を行う場合等にあっては、これら配置角度を正確に把握して版を作成する必要が生じることから、これら版の作成をより一層困難なものにでき、よって版自体を作成して模造することに対する複製防止或いは偽造防止に優れた証券印刷物を得ることができる。
【００３０】
次いで、前記エリア８Ｃについて説明すると、該エリア８Ｃに印刷されている「ＪＡＰＡＮ」の文字列の配列状態並びに配列形態は前記エリア８Ｂと同一であるが、図１に示すように、その印刷書体が独自書体３Ｂとされている。
【００３１】
また、これらエリア８Ｂ並びにエリア８Ｃに含まれる異なる配列形態の対象となる文字である、配置角度の異なる微小文字３Ａ’，３Ｂ’は、その他の微小文字とは異なる機能性インキである赤外線反射インキにて印刷されており、これら領域８に所定波長の赤外線を照射すると、図１に示すように、通常のインキにて印刷されている微小文字は赤外線を吸収するのに対し、該赤外線反射インキにて印刷された前記配置角度の異なる微小文字３Ａ’，３Ｂ’のみが赤外線を反射し、これら配置角度の異なる微小文字を迅速かつ正確に把握することができるようになっている。また、前記赤外線反射インキのかわりに、赤外線透過インキを使用しても構わない。
【００３２】
また、これら配置角度の異なる微小文字３Ａ’の配置位置を、特定の情報、例えば赤外線照射により「Ｔ」の文字が画成され現れるように配置しておき、これらの特定の情報によって真贋を判別できるようにしても良く、これら配置角度の異なる微小文字３Ａ’，３Ｂ’の配置形態等は適宜に選択すれば良い。
【００３３】
これら前述した一般書体３Ａとしては、一般的に使用されている公知の書体、具体的には、明朝体、ゴシック体、行書体、楷書体等を使用でき、一方、書体３Ｂは一般的に使用されない独自の書体である。ここでいう独自の書体は、市販のパソコンに搭載されていない書体や日本印刷学会が編集する印刷工学便覧に掲載されていない書体を言う。
【００３４】
尚、本実施例では、前記エリア８Ａ並びにエリア８Ｂに使用する一般書体３Ａを１種類としているが、本発明はこれに限定されるものではなく、これら一般書体３Ａとして複数の書体を使用するようにしても良い。
【００３５】
また、本実施例では、前記のように１つの独自書体を前記エリア８Ｃに用いているが、これら独自書体を用いることは、これら独自書体を用いることで、偽造や複製における版作成をより一層困難なものにでき、高い偽造防止効果を得られるようになることから好ましいが、本発明はこれに限定されるものではなく、これら独自書体を用いない構成としても良い。
【００３６】
また、本実施例では独自書体３Ｂを１つのみ使用するようにしており、このようにすることは、偽造者がこれら独自書体を使用していることに気付に難くでき、よって、これら独自書体の有無等を確認することで、証券の真贋を判別し易くできることから好ましいが、本発明はこれに限定されるものではなく、これら独自書体として複数の独自書体を使用するようにしても良い。
【００３７】
また、前記した赤外線インキとしては、赤外線の照射により反射するインキであれば好適に使用することができるが、本発明の機能性インキは、これら赤外線インキに限定されるものではなく、例えば紫外線の照射により発光する紫外線インキや、蛍光インキ、燐光インキ、畜光インキ、フォトクロミックインキ、サーモクロミックインキ、エレエクトロルミネッセントインキ、赤外線透過・吸収インキ、メタメリックインキ、カラーシフトインキ、パールインキ、金属光沢インキ、磁性インキ、導電インキ、絶縁インキ、バイオコードインキ、放射線インキ、撥水撥油インキ、発泡インキ、香料インキ、インキ消し反応インキ等を用いるようにしても良い。
【００３８】
また、本実施例１では、前記赤外線インキの吸収・反射の判別の光源として赤外線を用いており、このようにすることは、通常の使用において、特定波長の赤外線が照射される機会は非常に希であるため、通常使用において前記した配置角度の異なる微小文字３Ａ’，３Ｂ’が発光することを偽造者等に知覚されることを極力防止することができることから好ましいが、本発明はこれに限定されるものではなく、紫外線の照射にて発光する蛍光インキ、燐光インキ、畜光インキを使用するようにしても良く、これら使用する光等は適宜に選択すれば良い。
【００３９】
これら実施例１の証券印刷物によると、従来から微小文字の持つ偽造防止効果を、より一層に強化できる。なぜならば、偽造者は文字の並びや書体とともに、前記配置角度の異なる微小文字３Ａ’，３Ｂ’の配置角度等に着目して、これらを再現せねばならず、これらの模造を非常に困難なものにでき、前記独自書体や前記赤外線照射にて発光する微小文字３Ａ’，３Ｂ’の配置角度等を確認すれば、容易に真偽判別が可能となるからである。
【００４０】
尚、本実施例１では、前記微小文字３の微小文字数として６５列×８行の５２０文字にて実施しているが、本発明はこれに限定されるものではなく、これら微小文字数を更に増やすこと、微小文字の字高を２５０μｍ以下に極めて小さくすること、一般的に使用されていない書体数の増加などを行うこと等により、偽造者は、一文字づつ確実にオリジナルの微小文字を確認する必要があるので、偽造抵抗力（偽造をしにくくする力のことで、偽造防止効果とも言う。）はより向上する。
【００４１】
（実施例２）
図２は、本発明の証券印刷物の実施例２である商品券Ａ２を説明する図である。図２に示すように、実施例２の商品券Ａ２は、ほぼ実施例１の商品券Ａ１と同じである。よって、実施例２の商品券Ａ２について、実施例１の商品券Ａ１と同じ構成は説明を省略し、その特徴とする微小文字群の構成のみ説明する。
この商品券Ａ２では実施例１同様に、前記領域８において、図２に示すように、エリア８Ａ，８Ｂ，８Ｃが設けられており、エリア８Ａ，８Ｂは一般書体、エリア８Ｃは独自書体にて印刷されていて、前記実施例１の商品券Ａ１との違いとしては、前記商品券Ａ１では、異なる配置形態として配置角度の異なる微小文字３Ａ’，３Ｂ’を含んでいたのに対し、本実施例２では、これら異なる配置形態として鏡像状態として印刷配置された微小文字３Ａ”，３Ｂ”を含んでいる。
【００４２】
また、これら鏡像状態とされた微小文字３Ａ”，３Ｂ”は、前記実施例１の角度の異なる微小文字３Ａ’，３Ｂ’と同様に、前記赤外線インキにて印刷されており、図２に示すように、所定波長の赤外線を照射することにより、前記鏡像状態の微小文字３Ａ”，３Ｂ”のみが、反射し、その他の微小文字は反射しない。
【００４３】
これら本実施例２のように、異なる配置形態として鏡像状態とされた微小文字３Ａ”，３Ｂ”を内在するようにすることは、丹念に微小文字３を見ていない状態では、これら鏡像状態の微小文字３Ａ”，３Ｂ”を見過ごし易く、よって、これら鏡像状態の微小文字３Ａ”，３Ｂ”を前記赤外線照射により反射させてその鏡像の有無を確認することで、容易に真贋を判定することができるようになるばかりか、模造用の版の作成をより一層困難なものにできる。
【００４４】
尚、本実施例では、実施していないが、実施例１と同様に、これら鏡像状態の微小文字３Ａ”，３Ｂ”の配置位置を、赤外線照射により特定の情報が画成され現れるように配置しておき、これらの特定の情報によって真贋を判別できるようにしても良く、これら鏡像状態の微小文字３Ａ”，３Ｂ”の配置形態等は適宜に選択すれば良い。
【００４５】
（実施例３）
図３は、本発明の証券印刷物の実施例３である商品券Ａ３を示す図である。図３に示すように、実施例３の商品券Ａ３も、ほぼ前記実施例１の商品券Ａ１と同じである。よって、本実施例３の商品券Ａ３について、実施例１の商品券Ａ１と同じ構成は説明を省略し、その特徴とする微小文字群の構成のみ説明する。
この商品券Ａ３でも実施例１並びに実施例２と同様に、前記領域８において、図３に示すように、エリア８Ａ，８Ｂ，８Ｃが設けられており、エリア８Ａ，８Ｂは一般書体、エリア８Ｃは独自書体にて印刷されていて、前記実施例１並びに実施例２の商品券Ａ１、Ａ２との違いとしては、前記商品券Ａ１、Ａ２では、異なる配置形態として配置角度の異なる微小文字３Ａ’，３Ｂ’や鏡像状態の微小文字３Ａ”，３Ｂ”を含んでいるのに対し、本実施例３では、図３に示すように、本来の正規の配置文字とは異なるエラー文字９Ａ並びに９Ｂを含んでいる。
【００４６】
また、これらエラー文字９Ａ，９Ｂは、前記実施例１の角度の異なる微小文字３Ａ’，３Ｂ’や鏡像状態の微小文字３Ａ”，３Ｂ”と同様に、前記赤外線インキにて印刷されており、図３に示すように、所定波長の赤外線を照射することにより、前記エラー文字９Ａ，９Ｂのみが、反射するようになっている。
【００４７】
これら本実施例３のように、異なる配置形態として前記エラー文字９Ａ，９Ｂを内在するようにすることは、丹念に微小文字３を見ていない状態では、これらエラー文字９Ａ，９Ｂを見過ごし易く、よって、これらエラー文字９Ａ，９Ｂを前記赤外線照射により発光させて該エラー文字９Ａ，９Ｂの有無を確認することで、容易に真贋を判定することができるようになるばかりか、模造用の版の作成をより一層困難なものにできる。
【００４８】
尚、本実施例では、実施していないが、実施例１と同様に、これらエラー文字９Ａ，９Ｂの配置位置を、赤外線照射により特定の情報が画成され現れるように配置しておき、これら特定の情報によって真贋を判別できるようにしても良く、これらエラー文字９Ａ，９Ｂの配置形態等は適宜に選択すれば良い。
【００４９】
（実施例４）
図４は、本発明の証券印刷物の実施例３である商品券Ａ４を示す図である。図４に示すように、実施例３の商品券Ａ４も、ほぼ前記実施例１の商品券Ａ１と同じである。よって、本実施例４の商品券Ａ４について、実施例１の商品券Ａ１と同じ構成は説明を省略し、その特徴とする微小文字群の構成のみ説明する。
本実施例の商品券Ａ４でも実施例１、実施例２並びに実施例３と同様に、前記領域８において、図４に示すように、エリア８Ａ，８Ｂ，８Ｃが設けられており、エリア８Ａ，８Ｂは一般書体、エリア８Ｃは独自書体にて印刷されていて、前記実施例１の商品券Ａ１との違いとしては、前記商品券Ａ１では、異なる配置形態として配置角度の異なる微小文字３Ａ’，３Ｂ’を含んでいるのに対し、本実施例４では、図４に示すように、本来の正規の配置位置とは異なるエラー位置に印刷配置された微小文字１０Ａ並びに１０Ｂを含んでいる。
【００５０】
また、これら微小文字１０Ａ，１０Ｂは、前記実施例１の角度の異なる微小文字３Ａ’，３Ｂ’等と同様に、前記赤外線インキにて印刷されており、図４に示すように、所定波長の赤外線を照射することにより、前記微小文字１０Ａ，１０Ｂのみが、反射するようになっている。
【００５１】
これら本実施例４のように、異なる配置形態として正規の印刷位置よりずれたエラー位置に印刷配置される微小文字１０Ａ，１０Ｂを内在するようにすることは、丹念に微小文字３を見ていない状態では、これら微小文字１０Ａ，１０Ｂに位置ズレがあることを見過ごし易く、よって、これら微小文字１０Ａ，１０Ｂを前記赤外線照射により発光させて該微小文字１０Ａ，１０Ｂの有無並びに位置ずずれの有無を確認することで、容易に真贋を判定することができるようになるばかりか、模造用の版の作成をより一層困難なものにできる。
【００５２】
また、本実施例では、実施していないが、実施例１と同様に、これら正規の印刷位置よりずれたエラー位置に印刷配置される文字１０Ａ，１０Ｂの配置位置を、赤外線照射により特定の情報が画成され現れるように配置しておき、これら特定の情報によって真贋を判別できるようにしても良く、これらエラー文字１０Ａ，１０Ｂの配置形態等は適宜に選択すれば良い。
【００５３】
以上、本発明のように微小文字中に配列および／または配列形態が異なるものを含むようにすることで、非常に高い偽造防止効果を有する証券印刷物を得ることができる。
【００５４】
尚、本発明ではこれら微小文字中に前記配列および／または配列形態が異なるものを含むか否かにより真偽判別が可能であることから、従来のバーコードや２次元バーコードのように、デザイン上の違和感を与えることなく偽造防止効果の付与が可能となる。また、これら微小文字を彩紋として活用すると、デザイン上も制約を受けず、一方では、偽造防止機能が付与されていることも、気づかれないという効果もある。
【００５５】
以上、本発明を図面により説明してきたが、本発明はこれら各実施例に限られるものではなく、本発明の要旨を逸脱しない範囲における変更や追加があっても本発明に含まれることは言うまでもない。
【００５６】
尚、前記実施例では、微小文字を例に説明しているが、本発明は、文字のみに限定されるものではなく、これら文字に代えて、記号等を用いても同様の効果を得ることが可能なことは言うまでもない。
【００５７】
【発明の効果】
本発明は次の効果を奏する。
（ａ）請求項１の発明によれば、上記微小記号文字群を構成する所定の微小記号および／または微小文字から成る文字記号列が、その配列および／または配列形態が異なるものを含むようになるため、各微小記号文字をこれら異なる配列および／または配列形態に合致させて版を作成する必要が生じることから、これら版の作成を著しく困難なものにでき、よって版自体を作成して模造することに対する複製防止或いは偽造防止に優れた証券印刷物を得ることができる。
【００５８】
（ｂ）請求項２の発明によれば、これら微小文字或いは微小記号の配置角度を各文字や記号毎に把握して版を作成する必要が生じることから、これら版の作成をより一層困難なものにでき、よって版自体を作成して模造することに対する複製防止或いは偽造防止に優れた証券印刷物を得ることができる。
【００５９】
（ｃ）請求項３の発明によれば、前記微小文字或いは微小記号を鏡像状態に配置することで、丹念に微小文字或いは微小記号を詳見しない一見状態では、前記異なる配列形態を見過ごし易く、よって、これら版の作成をより一層困難なものにでき、よって版自体を作成して模造することに対する複製防止或いは偽造防止に優れた証券印刷物を得ることができる。
【００６０】
（ｄ）請求項４の発明によれば、これら微小文字或いは微小記号の配置間隔を各文字や記号毎に把握して版を作成する必要が生じることから、これら版の作成をより一層困難なものにでき、よって版自体を作成して模造することに対する複製防止或いは偽造防止に優れた証券印刷物を得ることができる。
【００６１】
（ｅ）請求項５の発明によれば、これらエラー文字或いはエラー記号がどこに配置されているのか、或いはどの微小文字或いは微小記号がエラー文字或いはエラー記号として使用されているのかを把握して版を作成する必要が生じることから、これら版の作成をより一層困難なものにでき、よって版自体を作成して模造することに対する複製防止或いは偽造防止に優れた証券印刷物を得ることができる。
【００６２】
（ｆ）請求項６の発明によれば、文字記号列を構成する同一の微小記号または微小文字の書体として、少なくとも２以上の異なる種類の書体が使用されることで、これら書体を各微小記号文字毎に合致させて版を作成する必要が生じることから、これら版の作成をより一層困難なものにでき、よって版自体を作成して模造することに対する複製防止或いは偽造防止に優れた証券印刷物を得ることができる。
【００６３】
（ｇ）請求項７の発明によれば、独自の書体を用いることで、より一層、版自体の作成を困難なものにできる。
【００６４】
（ｈ）請求項８の発明によれば、多数の独自書体を用いずに、公知の書体中に独自書体を１種類のみとすることで、独自書体が使用されていることに気付かれ難くなり、これら独自書体を確認することで、複製や偽造を判別し易いものにできる。
【００６５】
（ｉ）請求項９の発明によれば、機能性インキによる機能を用いることで、前記異なる配列形態に該当する文字或いは記号を迅速かつ正確に認識することができる。
【００６６】
（ｊ）請求項１０の発明によれば、特定の波長領域の光を照射するのみで、異なる配列形態に該当する文字或いは記号を認識することができる。
【００６７】
（ｋ）請求項１１の発明によれば、通常の使用において、赤外線が照射される機会は非常に希であるため、通常使用において前記異なる配列形態に該当する文字或いは記号が印刷されていることを偽造者等に知覚されることを極力防止することができる。
【００６８】
（ｌ）請求項１２の発明によれば、特定の情報が画成され現れることで、より確実かつ簡易に複製や偽造を判別することができる。
【００６９】
（ｍ）請求項１３の発明によれば、微小記号文字が印刷されていることを、偽造者等に認知されることを極力防止することができ、偽造防止効果を向上できる。
【００７０】
（ｎ）請求項１４の発明によれば、単純に微小記号文字が配列されているのに比較して、その版の作成をより困難なものにでき、偽造防止効果を向上できる。
【図面の簡単な説明】
【図１】本発明の実施例１における商品券を示す図である。
【図２】本発明の実施例２における商品券を示す図である。
【図３】本発明の実施例３における商品券を示す図である。
【図４】本発明の実施例４における商品券を示す図である。
【符号の説明】
１、５            基本文字
２                    デザイン文字
３                    微小文字
３’           微小文字群
３Ａ           一般書体文字
３Ｂ           独自書体文字
３Ａ’           配置角度の異なる文字（一般書体）
３Ｂ’           配置角度の異なる文字（独自書体）
３Ａ”           鏡像状態とされた文字（一般書体）
３Ｂ”           鏡像状態とされた文字（独自書体）
３Ｆ           特定の情報（Ｔ）
４                    ＯＣＲ文字
６                ＭＩＣＲ文字
７                無色蛍光文字
８                領域
８Ａ            エリア
８Ｂ            エリア
８Ｃ            エリア
９Ａ              エラー文字（一般書体）
９Ｂ              エラー文字（独自書体）
１０Ａ              エラー位置文字（一般書体）
１０Ｂ              エラー位置文字（独自書体）
【図１】
0003962834.tif 000002
【図２】
0003962834.tif 000003
【図３】
0003962834.tif 000004
【図４】
0003962834.tif 000005